(57)【特許請求の範囲】
【請求項１】
記録媒体に記録された複数のファイルのそれぞれに係る抜粋情報を抜き出し、抜き出した複数の抜粋情報を前記複数のファイルの実データとそれぞれ関連付けて所定の形式で収容するインデックスファイルを生成する生成手段と、
前記記録媒体を識別する識別情報を前記所定の形式で前記インデックスファイルに収容する記録媒体識別情報収容手段と、
前記識別情報と前記抜粋情報とを区別する識別子を含む前記インデックスファイルを前記記録媒体に記録する記録手段とを備える記録装置。
【請求項２】
前記識別情報が前記インデックスファイルの最初の領域に収容されること
を特徴とする請求項１に記載の記録装置。
【請求項３】
前記識別情報に、画像データを付与する請求項１に記載の記録装置。
【請求項４】
前記識別情報に、オーディオデータを付与する請求項１に記載の記録装置。
【請求項５】
前記識別情報に、テキストデータを付与する請求項１に記載の記録装置。
【請求項６】
前記インデックスファイルは、記録媒体に記録された複数のファイルのそれぞれに係る抜粋情報を収容する第１領域と、前記複数の抜粋情報を前記複数のファイルの実データとそれぞれ関連付ける関連付け情報を収容する第２領域とから成り、
前記第２領域に、前記識別情報を収容する識別情報ファイルを指定する情報が収容されること
を特徴とする請求項１に記載の記録装置。
【請求項７】
前記第１領域に、記録媒体を識別する情報を更に収容すること
を特徴とする請求項６に記載の記録装置。
【請求項８】
前記記録媒体は、ディスク状の記録媒体であり、
前記インデックスファイルは、前記ディスク状の記録媒体の実質的に最内周に記録されること  を特徴とする請求項１に記載の記録装置。
【請求項９】
記録媒体に記録された複数のファイルのそれぞれに係る抜粋情報を抜き出すステップと、
抜き出した複数の抜粋情報を前記複数のファイルの実データとそれぞれ関連付けて所定の形式で収容するインデックスファイルを生成するステップと、
前記記録媒体を識別する識別情報を前記所定の形式で前記インデックスファイルに収容するステップと、
前記識別情報と前記抜粋情報とを区別する識別子を含む前記インデックスファイルを前記記録媒体に記録するステップとを備える記録方法。
【請求項１０】
記録媒体に記録された複数のファイルのそれぞれに係る抜粋情報を抜き出させるステップと、
抜き出した複数の抜粋情報を前記複数のファイルの実データとそれぞれ関連付けて所定の形式で収容するインデックスファイルを生成するステップと、
前記記録媒体を識別する識別情報を前記所定の形式で前記インデックスファイルに収容するステップと、
前記識別情報と前記抜粋情報とを区別する識別子を含む前記インデックスファイルを前記記録媒体に記録するステップとを、コンピュータに実行させるプログラム。
【請求項１１】
記録媒体に記録された複数のファイルのそれぞれに係る抜粋情報を抜き出させるステップと、
抜き出した複数の抜粋情報を前記複数のファイルの実データとそれぞれ関連付けて所定の形式で収容するインデックスファイルを生成するステップと、
前記記録媒体を識別する識別情報を前記所定の形式で前記インデックスファイルに収容するステップと、
前記識別情報と前記抜粋情報とを区別する識別子を含む前記インデックスファイルを前記記録媒体に記録するステップとを、コンピュータに実行させるプログラムを記録したコンピュータ読み取り可能な記録媒体。
【請求項１２】
被写体の像を撮影し得られた像信号を記録媒体に記録する電子カメラにおいて、
前記記録媒体に記録された複数のファイルのそれぞれに係る抜粋情報を抜き出し、抜き出した複数の抜粋情報を前記複数のファイルの実データとそれぞれ関連付けて所定の形式で収容するインデックスファイルを生成する生成手段と、
前記記録媒体を識別する識別情報を前記所定の形式で前記インデックスファイルに収容する記録媒体識別情報収容手段と、
前記識別情報と前記抜粋情報とを区別する識別子を含む前記インデックスファイルを前記記録媒体に記録する記録手段とを備える電子カメラ。
【発明の詳細な説明】
【０００１】
【発明の属する技術分野】
本発明は、記録媒体に映像データやオーディオデータなどを記録する記録装置において、特に、記録媒体を区別する情報を所定の形式で記録媒体に記録する記録装置に関する。このような記録装置に用いられる記録方法、プログラムおよび記録媒体に関する。さらに、このような記録装置を備えた電子カメラに関する。
【０００２】
【従来の技術】
従来、例えば、カムコーダなどの、映像データやオーディオデータなどを記録する記録装置において、幾つかの場面を記録した複数のデータが光磁気ディスクや光ディスクなどのディスク状記録媒体にそれぞれファイルごとに記録される。
【０００３】
また、このような記録装置に、例えば、液晶表示パネルや有機エレクトロルミネセンス表示パネルなどの表示部やスピーカなどの音発生部を備えることにより、記録したデータを再生・編集する機能も併せ持つ記録再生装置が知られている。
【０００４】
このような記録装置や記録再生装置を使用するユーザ（使用者）は、普通、記録日ごとや旅行先・行事などの記録内容ごとに記録媒体を分けて記録する。このため、ユーザは、複数枚の記録媒体を所有することが多い。このような場合に、ユーザが再生・編集をしようとする場面を探し出すためには、複数の記録媒体を１枚ごとに記録再生装置に挿入しファイルネームやインデックスファイルを再生することによって、その記録媒体に記録されている各ファイル内容を識別する必要がある。
【０００５】
インデックスファイルは、記録媒体に記録された複数のファイルの内容を識別するための情報を纏めたファイルであり、例えば、ファイル内容を象徴する１場面をファイルごとに集めて纏めたファイルや、ファイル内容を象徴する数秒間の音をファイルごとに集めて纏めたファイルや、ファイル内容を特徴づける文字列をファイルごとに付しこれらを集めて纏めたファイルなどである。
【０００６】
【発明が解決しようとする課題】
ところで、このような記録媒体を抜き差ししながら各ファイル内容を示す一覧を表示させて目的のファイルを探す方法では、一覧が表示されるまで時間がかかるという問題がある。特に、表示画面の大きさと記録媒体に記録されているファイルの個数によっては、全ファイルのインデックス（索引）を一度に表示できないため、さらに時間がかかる。
【０００７】
また、インデックスファイルを再生する再生方法と記録媒体を識別する情報を再生する再生方法とが、異なる方法であると、個別に再生方法を記録再生装置が備える必要があるという問題も生じる。
【０００８】
そこで、本発明では、インデックスファイルと同様な再生方法で再生可能な、記録媒体の識別情報を記録する記録装置および記録方法を提供することを目的とする。さらに、このような記録方法をコンピュータに実行させるためのプログラムおよび該プログラムを記録したコンピュータ読み取り可能な記録媒体を提供することを目的とする。
【０００９】
【課題を解決するための手段】
本発明の記録装置は、記録媒体に記録された複数のファイルのそれぞれに係る抜粋情報を抜き出し、抜き出した複数の抜粋情報を複数のファイルの実データとそれぞれ関連付けて所定の形式で収容するインデックスファイルを生成する生成手段と、記録媒体を識別する識別情報を所定の形式でインデックスファイルに収容する記録媒体識別情報収容手段と、識別情報と抜粋情報とを区別する識別子を含むインデックスファイルを記録媒体に記録する記録手段とを備えて構成される。
【００１０】
本発明の記録方法は、記録媒体に記録された複数のファイルのそれぞれに係る抜粋情報を抜き出すステップと、抜き出した複数の抜粋情報を複数のファイルの実データとそれぞれ関連付けて所定の形式で収容するインデックスファイルを生成するステップと、記録媒体を識別する識別情報を所定の形式でインデックスファイルに収容するステップと、識別情報と抜粋情報とを区別する識別子を含むインデックスファイルを記録媒体に記録するステップとを備えて構成される。
【００１１】
本発明のプログラムは、記録媒体に記録された複数のファイルのそれぞれに係る抜粋情報を抜き出させるステップと、抜き出した複数の抜粋情報を複数のファイルの実データとそれぞれ関連付けて所定の形式で収容するインデックスファイルを生成するステップと、記録媒体を識別する識別情報を所定の形式でインデックスファイルに収容するステップと、識別情報と抜粋情報とを区別する識別子を含むインデックスファイルを記録媒体に記録するステップとを、コンピュータに実行させる。
【００１２】
本発明の記録媒体には、記録媒体に記録された複数のファイルのそれぞれに係る抜粋情報を抜き出させるステップと、抜き出した複数の抜粋情報を複数のファイルの実データとそれぞれ関連付けて所定の形式で収容するインデックスファイルを生成するステップと、記録媒体を識別する識別情報を所定の形式でインデックスファイルに収容するステップと、識別情報と抜粋情報とを区別する識別子を含むインデックスファイルを記録媒体に記録するステップとを、コンピュータに実行させるためのプログラムが記録されている。
【００１３】
本発明の電子カメラには、被写体の像を撮影し得られた像信号を記録媒体に記録する電子カメラにおいて、記録媒体に記録された複数のファイルのそれぞれに係る抜粋情報を抜き出し、抜き出した複数の抜粋情報を複数のファイルの実データとそれぞれ関連付けて所定の形式で収容するインデックスファイルを生成する生成手段と、記録媒体を識別する識別情報を所定の形式でインデックスファイルに収容する記録媒体識別情報収容手段と、識別情報と抜粋情報とを区別する識別子を含むインデックスファイルを記録媒体に記録する記録手段とを備えて構成される。
【００１４】
このような記録装置、記録方法、プログラム、該プログラムを記録した記録媒体、および、該記録装置を備える電子カメラは、複数の記録媒体の中から所定の記録媒体を区別するための識別情報を、記録媒体に記録された複数のファイルに関する抜粋情報を収容するインデックスファイルに、インデックスファイルの形式で収容する。このため、ユーザは、記録装置に識別情報を読み出ださせることで記録媒体を識別することができ、迅速に所望の記録媒体を探し出すことができる。そして、記録装置は、インデックスファイルを読み出す方法で識別情報を読み出すことができるので、識別情報を読み出すための特別な機構・方法が不要である。
【００１５】
そして、このような記録装置、記録方法、プログラム、該プログラムを記録した記録媒体、および、該記録装置を備える電子カメラにおいて、識別情報がインデックスファイルの最初の領域に収容されてもよい。また、インデックスファイルは、識別情報と抜粋情報とを区別する識別子を含むようにしてもよい。
【００１６】
識別情報を特定の収容箇所に指定することで、記録装置などは、識別情報の収容場所を容易に読み出すことができ、また、識別子を用いることで、識別情報をインデックスファイル内の任意の場所に収容することができる。
【００１７】
さらに、このような記録装置、記録方法、プログラム、該プログラムを記録した記録媒体、および、該記録装置を備える電子カメラにおいて、識別情報は、画像データ、オーディオデータ、テキストデータなどを利用することができる。
【００１８】
また、このような記録装置、記録方法、プログラム、該プログラムを記録した記録媒体、および、該記録装置を備える電子カメラにおいて、前記インデックスファイルは、記録媒体に記録された複数のファイルのそれぞれに係る抜粋情報を収容する第１領域と、前記複数の抜粋情報を前記複数のファイルの実データとそれぞれ関連付ける関連付け情報を収容する第２領域とから成り、前記第２領域に、前記識別情報を収容する識別情報ファイルを指定する情報が収容されるように構成してもよい。そして、この第１領域に、記録媒体を識別する情報を更に収容するようにしてもよい。
【００１９】
このように識別情報を識別情報ファイルとして記録媒体に記録することにより、記録装置などは、インデックスファイルに収容する場合に較べ、より大容量な識別情報を記録することができる。識別情報の種類に柔軟性を持たせることができる。
【００２０】
このような記録装置、記録方法、プログラム、該プログラムを記録した記録媒体、および、該記録装置を備える電子カメラにおいて、前記記録媒体は、ディスク状の記録媒体であり、前記インデックスファイルは、前記ディスク状の記録媒体の実質的に最内周に記録されるようにしてもよい。
【００２１】
このようにインデックスファイルの記録位置を特定し、更に、その位置を実質的な最内周にすることで、記録装置などは、インデックスファイルを簡易・容易・迅速に読み出すことができる。
【００２２】
【発明の実施の形態】
以下、本発明の実施形態について図面に基づいて説明する。なお、各図において、同一の構成については、その説明を省略することがある。
【００２３】
図１は、ディジタル記録再生装置の一構成例を示すブロック図である。
図１において、ディジタル記録再生装置は、ビデオ符号器１１、オーディオ符号器１２、ビデオ復号器１３、オーディオ復号器１４、ファイル生成器１５、ファイル復号器１６、メモリ１７、２０、メモリコントローラ１８、システム制御マイコン１９、エラー訂正符号／復号器２１、ドライブ制御マイコン２２、データ変復調器２３、磁界変調ドライバ２４、操作部２６、サーボ回路３０、モータ３１、磁界ヘッド３２および光ピックアップ３３を備えて構成される。
【００２４】
ビデオ信号は、ビデオ入力端子からビデオ符号器１１に供給され、圧縮符号化される。オーディオ信号は、オーディオ入力端子からオーディオ符号器１２に供給され、圧縮符号化される。ビデオ符号器１１およびオーディオ符号器１２の各出力がエレメンタリストームと呼ばれる。
【００２５】
本実施形態では、ディジタル記録再生装置は、カメラ一体型ディジタル記録再生装置に備えられているものとする。ビデオ信号は、ビデオカメラで撮影された画像が供給され、ビデオカメラは、光学系によって被写体の撮像光がCCD(Charge Coupled Device)などの撮像素子に供給されることによってビデオ信号を生成する。オーディオ信号は、マイクロフォンで集音された音声が供給される。
【００２６】
ビデオ符号器１１は、例えば、圧縮符号化がＭＰＥＧの場合には、アナログ／ディジタル変換器（以下、「Ａ／Ｄ」と略記する。）、フォーマット変換部、画像並替部、減算器、ＤＣＴ部、量子化部、可変長符号化部、バッファメモリ、レート制御部、逆量子化部、逆ＤＣＴ部、加算部、ビデオメモリ、動き補償予測部およびスイッチの各電子回路を備えて構成される。
【００２７】
ビデオ符号器１１に供給されたビデオ信号は、Ａ／Ｄでディジタル化された後に、フォーマット変換部で符号化で用いる空間解像度に変換され、画像並替部に出力される。画像並替部は、ピクチャの順序を符号化処理に適した順に並び替える。すなわち、ＩピクチャおよびＰピクチャを先に符号化し、その後、Ｂピクチャを符号化するのに適した順に並び替える。
【００２８】
画面並替部の出力は、減算部を介してＤＣＴ部に入力され、ＤＣＴ符号化が行われる。ＤＣＴ部の出力は、量子化部に入力され、所定のビット数で量子化される。量子化部の出力は、可変長符号化部および逆量子化部に入力される。可変長符号化部は、出現頻度がより高いデータにより短いコードを割り当てる可変長符号、例えば、ハフマン符号で符号化され、符号化データは、メモリのバッファメモリに出力される。バッファメモリは、一定レートで符号化データをビデオ符号器の出力として出力する。また、レート制御部は、可変長符号化部で発生する符号量が可変であるため、バッファメモリを監視することによって所定のビットレートを保つように、量子化部の量子化動作を制御する。
【００２９】
一方、ＩピクチャおよびＰピクチャの場合は、動き補償予測部で参照画面として使用されるため、量子化部から逆量子化部に入力された信号は、逆量子化された後に逆ＤＣＴ部に入力され、逆ＤＣＴが行われる。逆ＤＣＴ部の出力は、加算部で動き補償予測部の出力と加算され、ビデオメモリに入力される。ビデオメモリの出力は、動き補償予測部に入力される。動き補償予測部は、前方向予測、後方向予測および両方向予測を行い、加算部および減算部に出力する。これら逆量子化部、逆ＤＣＴ部、加算部、ビデオメモリおよび動き補償予測部は、ローカル復号部を構成し、ビデオ復号器と同一のビデオ信号が復元される。
【００３０】
減算部は、画像並替部の出力と動き補償予測部の出力との間で減算を行い、ビデオ信号とローカル復号部で復号された復号ビデオ信号との間の予測誤差を形成する。フレーム内符号化（Ｉピクチャ）の場合では、スイッチにより、減算部は、減算処理を行わず、単にデータが通過する。
【００３１】
図１に戻って、オーディオ符号器１２は、例えば、ＭＰＥＧ／Ａｕｄｉｏレイヤ１／レイヤ２の場合では、サブバンド符号化部および適応量子化ビット割り当て部などの各電子回路を備えて構成される。オーディオ信号は、サブバンド符号化部で３２帯域のサブバンド信号に分割され、適応量子化ビット割り当て部で心理聴覚重み付けに従って量子化され、ビットストリームに形成された後に出力される。
【００３２】
なお、符号化品質を向上させるために、ＭＰＥＧ／Ａｕｄｉｏレイヤ３の場合では、さらに、適応ブロック長変形離散コサイン変換部、折り返し歪み削減バタフライ部、非線形量子化部および可変長符号化部などが導入される。
【００３３】
ビデオ符号器１１の出力およびオーディオ符号器１２の出力がファイル生成器１５に供給される。ファイル生成器１５は、特定のハードウェア構成を使用することなく動画、音声およびテキストなどを同期して再生することができるコンピュータソフトウェアにより扱うことができるファイル構造を持つように、ビデオエレメンタリストリームおよびオーディオエレメンタリストームのデータ構造を変換する。このようなソフトウェアは、例えば、QuickTime（以下、「ＱＴ」と略記する。）が知られている。以下、ＱＴを使用する場合について説明する。ファイル生成器１５は、符号化ビデオデータと符号化オーディオデータとを多重化する。ファイル生成器１５は、システム制御マイコン１９によって制御される。
【００３４】
ファイル生成器１５の出力であるQuickTimeムービーファイルは、メモリコントローラ１８を介してメモリ１７に順次に書き込まれる。メモリコントローラ１８は、システム制御マイコン１９から記録媒体４０へのデータ書き込みが要求されると、メモリ１７からQuickTimeムービーファイルを読み出す。
【００３５】
ここで、QuickTimeムービー符号化の転送レートは、記録媒体４０への書き込みデータの転送レートより低い転送レート、例えば、１／２に設定される。よって、QuickTimeムービーファイルが連続的にメモリ１７に書き込まれるのに対し、メモリ１７からのQuickTimeムービーファイルの読み出しは、メモリ１７がオーバーフローまたはアンダーフローしないように、システム制御マイコン１９によって監視されながら間欠的に行われる。
【００３６】
メモリ１７から読み出されたQuickTimeムービーファイルは、メモリコントローラ１８からエラー訂正符号／復号器２１に供給される。エラー訂正符号／復号器２１は、このQuickTimeムービーファイルを一旦メモリ２０に書き込み、インターリーブ（interleaved）およびエラー訂正符号の冗長データの生成を行う。エラー訂正符号／復号器２１は、冗長データが付加されたデータをメモリ２０から読み出し、これをデータ変復調器２３に供給する。
【００３７】
データ変復調器２３は、デジタルデータを記録媒体４０に記録する際に、再生時のクロック抽出を容易とし、符号間干渉などの問題が生じないように、データを変調する。例えば、（１，７）ＲＬＬ（run length limited）符号やトレリス符号などを利用することができる。
【００３８】
データ変復調器２３の出力は、磁界変調ドライバ２４および光ピックアップ３３に供給される。磁界変調ドライバ２４は、入力信号に応じて、磁界ヘッド３２を駆動して記録媒体４０に磁界を印加する。光ピックアップ３３は、入力信号に応じて記録用のレーザビームを記録媒体４０に照射する。このようにして、記録媒体４０にデータが記録される。
【００３９】
記録媒体４０は、ディスク状の記録媒体であり、例えば、光磁気ディスク（ＭＯ、magneto-optical disk）、相変化型ディスクなどの書き換え可能な光ディスクである。
【００４０】
ここで、後述するインデックスファイルは、読み出しの容易性の観点から、ディスク状の記録媒体における実質的な最内周、例えば、ＣＤ−ＲＯＭのリードインに続く記録部分に記録されることが好ましい。
【００４１】
本実施形態では、ＭＯ、例えば、直径約４ｃｍ、直径約５ｃｍ、直径約６．５ｃｍまたは直径約８ｃｍなどの比較的小径なディスクが使用される。記録媒体４０は、モータ３１によって、線速度一定（ＣＬＶ）、角速度一定（ＣＡＶ）またはゾーンＣＬＶ（ＺＣＬＶ）で回転される。
【００４２】
ドライブ制御マイコン２２は、システム制御マイコン１９の要求に応じて、サーボ回路３０に信号を出力する。サーボ回路３０は、この出力に応じて、モータ３１および光ピックアップ３３を制御することによって、ドライブ全体を制御する。例えば、サーボ回路３０は、光ピックアップ３３に対し、記録媒体４０の径方向の移動サーボ、トラッキングサーボおよびフォーカスサーボを行い、モータ３１に対し、回転数を制御する。
【００４３】
また、システム制御マイコン１９には、ユーザが所定の指示を入力する操作部２６が接続される。
【００４４】
再生の際には、光ピックアップ３３は、再生用の出力でレーザビームを記録媒体４０に照射し、その反射光を光ピックアップ３３内の光検出器で受光することによって、再生信号を得る。この場合において、ドライブ制御マイコン２２は、光ピックアップ３３内の光検出器の出力信号からトラッキングエラーおよびフォーカスエラーを検出し、読み取りのレーザビームがトラック上に位置し、トラック上に合焦するように、サーボ回路３０によって光ピックアップ３３を制御する。さらに、ドライブ制御マイコン２２は、記録媒体４０上における所望の位置のデータを再生するために、光ピックアップの径方向における移動も制御する。所望の位置は、記録時と同様にシステム制御マイコン１９によって、ドライブ制御マイコン２２に信号が与えられ、決定される。
【００４５】
光ピックアップ３３の再生信号は、データ変復調器２３に供給され、復調される。復調されたデータは、エラー訂正符号／復号器２１に供給され、再生データを一旦メモリ２０に格納し、デインターリーブ（deinterleaved）およびエラー訂正が行われる、エラー訂正後のQuickTimeムービーファイルは、メモリコントローラ１８を介してメモリ１７に格納される。
【００４６】
メモリ１７に格納されたQuickTimeムービーファイルは、システム制御マイコン１９の要求に応じて、ファイル復号器１６に出力される。システム制御マイコン１９は、ビデオ信号およびオーディオ信号を連続再生するために、記録媒体４０の再生信号がメモリ１７に格納されるデータ量と、メモリ１７から読み出されてファイル復号器１６に供給されるデータ量とを監視することによって、メモリ１７がオーバーフローまたはアンダーフローしないようにメモリコントローラ１８およびドライブ制御マイコン２２を制御する。こうして、システム制御マイコン１９は、記録媒体４０から間欠的にデータを読み出す。
【００４７】
ファイル復号器１６は、システム制御マイコン１９の制御下で、QuickTimeムービーファイルをビデオエレメンタリストリームとオーディオエレメンタリファイルとに分離する。ビデオエレメンタリストリームは、ビデオ復号器１３に供給され、圧縮符号化の復号が行われてビデオ出力となってビデオ出力端子から出力される。オーディオエレメンタリストリームは、オーディオ復号器１４に供給され、圧縮符号化の復号が行われてオーディオ出力となってオーディオ出力端子から出力される。ここで、ファイル復号器１６は、ビデオエレメンタリストリームとオーディオエレメンタリストリームとが同期するように出力する。
【００４８】
ビデオ復号器１３は、例えば、ＭＰＥＧの場合では、メモリのバッファメモリ、可変長符号復号部、逆量子化部、逆ＤＣＴ部、加算部、ビデオメモリ、動き補償予測部、画面並替部およびディジタル／アナログ変換器（以下、「Ｄ／Ａ」と略記する。）の各電子回路を備えて構成される。ビデオエレメンタリストームは、一旦バッファメモリに蓄積され、可変長復号部に入力される。可変長復号部は、マクロブロック符号化情報が復号され、予測モード、動きベクトル、量子化情報および量子化ＤＣＴ係数が分離される。量子化ＤＣＴ係数は、逆量子化部でＤＣＴ係数に復元され、逆ＤＣＴ部で画素空間データに変換される。加算部は、逆量子化部の出力と動き補償予測部の出力とを加算するが、Ｉピクチャを復号する場合には、加算しない。画面内のすべてのマクロブロックが復号され、画面は、画面並替部で元の入力順序に並べ替えられて、Ｄ／Ａでアナログ信号に変換されて出力される。また、加算器の出力は、ＩピクチャおよびＰピクチャの場合には、その後の復号処理で参照画面として使用されるため、ビデオメモリに蓄積され、動き補償予測部に出力される。
【００４９】
オーディオ復号器１４は、例えば、ＭＰＥＧ／Ａｕｄｉｏレイヤ１／レイヤ２の場合では、ビットストリーム分解部、逆量子化部およびサブバンド合成フィルタバンク部などの各電子回路を備えて構成される。入力されたオーディオエレメンタリストリームは、ビットストリーム分解部でヘッダと補助情報と量子化サブバンド信号とに分離され、量子化サブバンド信号は、逆量子化部で割り当てられたビット数で逆量子化され、サブバンド合成フィルタバンクで合成された後に、出力される。
【００５０】
図２は、カメラ一体型ディジタル記録再生装置の外形を示す模式図である。図２Ａは、カメラ一体型ディジタル記録再生装置の全体図であり、図２Ｂは、表示パネルによる表示の一例を示す略線図である。
【００５１】
図２Ａにおいて、カメラ一体型ディジタル記録再生装置５０は、本体５１、レンズ部５２、集音マイク５３および表示パネル５４を備えて構成される。
【００５２】
図１に示すディジタル記録再生装置は、本体５１内に収められる。ビデオ信号は、レンズ部５２の光学系を介して被写体の撮像光が撮像素子に供給され、生成される。オーディオ信号は、集音マイク５３で生成される。表示パネル５４は、再生画像や操作内容に対応する表示などが行われる。表示パネル５４は、液晶表示と圧電素子とを備えて構成される。ユーザは、表示部分をポインティングデバイス５５で押圧することによって、所望の操作を入力する。
【００５３】
表示パネル５４の表示は、例えば、図２Ｂに示すように、所望操作の入力と操作内容の表示とを兼ねる部分である、ディスクタイトル部６１、インデックス部６２、再生部６３および主表示部６４を備える。
【００５４】
ディスクタイトル部６１は、ポインティングデバイス５５などで押圧されることによって、カメラ一体型ディジタル記録再生装置５０に挿入された記録媒体を区別する識別情報（本実施形態では、「ディスクタイトル」と呼称する。）を主表示部６４に表示したり、主表示部６４の表示内容が識別情報であることを示す。
【００５５】
インデックス部６２は、ポインティングデバイス５５などで押圧されることによって、カメラ一体型ディジタル記録再生装置５０に挿入された記録媒体に記録されている複数のファイルの抜粋情報を主表示部６４に表示したり、主表示部６４の表示内容が代表的な画像であることを示す。代表的な画像は、例えば、いわゆる、サムネイル画像（Thumbnail Picture）である。
【００５６】
再生部６３は、ポインティングデバイス５５などで押圧されることによって、ディスクタイトルやファイルの抜粋情報にテキストデータやオーディオデータが付属する場合に、表示部６４の表示に従ってこれを再生する。テキストデータは、主表示部６４の所定の場所、例えば、主表示部６４の下部分や右部分などに表示される。
【００５７】
このようなカメラ一体型ディジタル記録再生装置５０は、記録媒体をフォーマットする際や撮影後などにディスクタイトルやファイルの抜粋情報を生成する。
本実施形態では、ディスクタイトルは、インデックスファイルのデータ形式と同じ形式で生成され、インデックスファイルの一データとして、一領域に収容される。そして、本実施形態では、インデックスファイルは、例えば、QuickTimeムービーファイルの形式で生成される。QuickTimeムービーファイルの形式で生成することによって、映像データやオーディオデータなどの複数の実データと、ファイルの抜粋情報と、ディスクタイトルとを同じ形式で記録することができ、記録再生装置は、すべてをＱＴで再生することができる。
【００５８】
以下、QuickTimeムービーファイルについて概説する。
ＱＴは、各種データを時間軸に沿って管理するソフトウェアであり、特殊なハードウェアを用いずに動画や音声やテキストなどを同期して再生するためのＯＳ拡張機能である。ＱＴは、例えば、「INSIDE  MACINTOSH :QuickTime（日本語版）（アジソンウエスレス）」などに開示されている。
【００５９】
ＱＴムービーリソースの基本的なデータユニットは、アトム（atom）と呼ばれ、各アトムは、そのデータとともに、サイズ及びタイプ情報を含んでいる。また、ＱＴでは、データの最小単位がサンプル（sample）として扱われ、サンプルの集合としてチャンク（chunk）が定義される。
【００６０】
図３は、QuickTimeムービーファイルの一構成例を示す図である。
図４は、ビデオ・メディア情報アトムの一構成例を示す図である。図４は、図３におけるビデオ・メディア情報アトムをより詳細に示した図となっており、トラックがビデオ情報の場合について示している。
【００６１】
図３および図４において、QuickTimeムービーファイルは、大きく２つの部分、ムービーアトム（movie atom）１０１及びムービー・データ・アトム（movie data atom）１０２から構成される。ムービーアトム１０１は、そのファイルを再生するために必要な情報や実データを参照するために必要な情報を格納する部分である。ムービー・データ・アトム１０２は、ビデオデータやオーディオデータなどの実データを格納する部分である。
【００６２】
ムービーアトム１０１は、ムービー全体に関する情報を収容するムービー・ヘッダ・アトム（movie header atom）１１１、クリッピング領域を指定するムービー・クリッピング・アトム（movie clipping atom）１１２、ユーザ定義データアトム１１３、および、１または複数のトラックアトム（track atom）１１４などを含む。
【００６３】
トラックアトム１１４は、ムービー内の１つのトラックごとに用意される。トラックアトム１１４は、トラック・ヘッダ・アトム（track header atom）１３１、トラック・クリッピング・アトム（track clipping atom）１３２、トラック・マット・アトム（track matte atom）１３３、エデットアトム（edit atom）１３４およびメディアアトム（media atom）１３５に、ムービー・データ・アトム１０２の個々のデータに関する情報を記述する。図３では、１つのビデオムービーのトラックアトム１１４-1が示され、他のトラックアトムは、省略されている。
【００６４】
メディアアトム１３５は、メディア・ヘッダ・アトム（media header atom）１４４、メディア情報アトム（media information atom）（図３および図４では、ビデオ・メディア情報アトム１４５）、および、メディア・ハンドラ・リファレンス・アトム（media handler reference atom）１４６に、ムービートラックのデータやメディアデータを解釈するコンポーネントを規定する情報などを記述する。
【００６５】
メディア・ハンドラは、メディア情報アトムの情報を使用して、メディア時間からメディアデータへのマッピングを行う。
【００６６】
メディア情報アトム１４５は、データ・ハンドラ・リファレンス・アトム（data handler reference atom）１６１、メディア情報ヘッダ・アトム（media information header atom）、データ情報アトム（data information atom）１６３およびサンプル・テーブル・アトム（sample table atom）１６４を含む。
【００６７】
メディア情報ヘッダ・アトム（図４では、ビデオ・メディア情報ヘッダ・アトム１６２）は、メディアにかかる情報が記述される。データ・ハンドラ・リファレンス・アトム１６１は、メディアデータの取り扱いにかかる情報が記述され、メディアデータへのアクセス手段を提供するデータ・ハンドラ・コンポーネントを指定するための情報が含まれる。データ情報アトム１６３は、データ・リファレンス・アトム（data reference atom）を含み、データについての情報が記述される。
【００６８】
サンプル・テーブル・アトム１６４は、メディア時間を、サンプル位置を指すサンプル番号に変換するために必要な情報を含む。サンプル・テーブル・アトム１６４は、サンプル・サイズ・アトム（sample size atom）１７２、時間サンプル・アトム（time-to-sample atom）１７３、同期サンプル・アトム（sync sample atom）１７４、サンプル・ディスクリプション・アトム（sample description atom）１７５、サンプル・チャンク・アトム（sample-to-chunk atom）１７６、チャンク・オフセット・アトム（chunk offset atom）１７７、および、シャドー同期アトム（shadow sync atom）１７８で構成される場合である。
【００６９】
サンプル・サイズ・アトム１７２は、サンプルの大きさが記述される。時間サンプル・アトム１７３は、何秒分のデータが記録されているか？という、サンプルと時間軸との関係が記述される。同期サンプル・アトム１７４は、同期にかかる情報が記述され、メディア内のキーフレームが指定される。キーフレームは、先行するフレームに依存しない自己内包型のフレームである。サンプル・ディスクリプション・アトム１７５は、メディア内のサンプルをデコード（decode）するために必要な情報が保存される。メディアは、当該メディア内で使用される圧縮タイプの種類に応じて、１つ又は複数のサンプル・ディスクリプション・アトムを持つことができる。サンプル・チャンク・アトム１７６は、サンプル・ディスクリプション・アトム１７５内のテーブルを参照することで、メディア内の各サンプルに対応するサンプル・ディスクリプションを識別する。サンプル・チャンク・アトム１７６は、サンプルとチャンクとの関係が記述され、先頭チャンク、チャンク当たりのサンプル数及びサンプル・ディスクリプションＩＤ（sample description-ID）の情報を基に、メディア内におけるサンプル位置が識別される。チャンク・オフセット・アトム１７７は、ムービーデータ内でのチャンクの開始ビット位置が記述され、データストリーム内の各チャンクの位置が規定される。
【００７０】
また、ムービー・データ・アトム１０２には、図３では、例えば、所定の圧縮符号化方式によって符号化されたオーディオデータ、および、所定の圧縮符号化方式によって符号化された画像データがそれぞれ所定数のサンプルから成るチャンクを単位として格納される。なお、データは、必ずしも圧縮符号化する必要はなく、リニアデータを格納することもできる。そして、例えば、テキストやＭＩＤＩなどを扱う場合には、ムービー・データ・アトム１０２にテキストやＭＩＤＩなどの実データが含くまれ、これに対応して、ムービーアトム１０１にテキストトラックやＭＩＤＩトラックなどが含まれる。
【００７１】
ムービーアトム１０１における各トラックと、ムービー・データ・アトム１０２に格納されているデータとは、対応付けられている。
【００７２】
このような階層構造において、ＱＴは、ムービー・データ・アトム１０２内のデータを再生する場合に、ムービーアトム１０１から順次に階層を辿り、サンプル・テーブル・アトム１６４内の各アトム１７２〜１７８を基に、サンプル・テーブルをメモリに展開して、各データ間の関係を識別する。そして、ＱＴは、各データ間の関係を基にデータを再生する。
【００７３】
ＱＴがこのようなデータ構造であるので、本実施形態のインデックスファイルは、ムービー・データ・アトムにディスクタイトルの実データおよびファイルの抜粋情報の実データを収容し、これら実データの管理情報をムービーアトムに収容する。このインデックスファイルのムービー・データ・アトムを以下、インデックス・データ・アトムと呼称し、ムービーアトムをインデックス・アトムと呼称する。インデックスファイルを生成することで、ディスクタイトルがファイルの抜粋情報と同一の形式で作成され、インデックスファイルに収容される。
【００７４】
ここで、インデックスファイルは、記録媒体に記録されるファイルが扱うデータに依存するが、本実施形態では、ファイルのデータが画像データとオーディオデータであるとする。また、このようなファイルを以下、「ＡＶファイル」と略記する。
【００７５】
このように記録媒体にＡＶファイルが記録されている場合に、インデックスファイルは、例えば、プロパティ、テキスト、サムネイル、イントロの４種類のデータが収容される。プロパティは、ディスクタイトルおよび各ＡＶファイルの属性を示すデータである。よって、インデックスファイルは、属性情報を収容するプロパティのみが必須ファイルである。テキストは、ディスクタイトルおよび各ＡＶファイルに係るタイトルの文字列を示すデータである。サムネイルは、ディスクタイトルおよび各ＡＶファイルの代表的な１枚の画像データである。ディスクタイトルのサムネイルは、ユーザが任意に付与することができるが、例えば、インデックスファイルの第２エントリの領域に収容されているサムネイルデータとするように自動設定してもよい。ＡＶファイルのサムネイルも、ユーザが任意に付与することができるが、例えば、当該ＡＶファイル中の最初の１枚目の画像データとするように自動設定してもよい。イントロは、ディスクタイトルおよび各ＡＶファイルの代表的な短時間のオーディオデータである。ディスクタイトルのイントロは、ユーザが任意に付与することができるが、例えば、インデックスファイルの第２エントリの領域に収容されているイントロデータとするように自動設定してもよい。ＡＶファイルのイントロも、ユーザが任意に付与することができるが、例えば、当該ＡＶファイル中の最初の数秒間、例えば、５秒間のオーディオデータとするように自動設定してもよい。これらタイトル、サムネイルおよびイントロは、検索の便宜などを考慮の上、必要に応じてインデックスファイルに収容領域が用意される。また、プロパティのデータは、登録される必要があるが、タイトル、サムネイルおよびイントロの各収容領域が確保されていたとしても、タイトル、サムネイルおよびイントロのすべてのデータは、必ずしも登録される必要はない。
【００７６】
図５は、QuickTimeムービーファイルを用いて作成されるインデックスファイルの一例を示す図である。
【００７７】
図５において、インデックスファイルは、インデックス・アトム２０１とインデックス・データ・アトム２０２とを備えて構成される。
【００７８】
インデックス・データ・アトム２０２は、プロパティ、テキスト、サムネイルおよびイントロの実データが収容される。そして、ディスクタイトルに係るプロパティ、テキスト、サムネイルおよびイントロの実データ２２１、２２２、２２３、２２４は、インデックス・データ・アトム２０２の最初の領域であるエントリ＃１に収容され、各ＡＶファイルに係るプロパティ、テキスト、サムネイルおよびイントロの実データ２３１、２３２、２３３、２３４は、インデックス・データ・アトム２０２の第２番目以降の各領域であるエントリ＃２〜エントリ＃ｎ（ｎは２以上の整数）にそれぞれ収容される。
【００７９】
インデックス・アトム２０１は、ムービー・ヘッダ・アトム２１１と、プロパティ、テキスト、サムネイルおよびイントロの実データにそれぞれ対応して、トラックアトム（プロパティ）２１２とトラックアトム（テキスト）２１３とトラックアトム（サムネイル）２１４とトラックアトム（イントロ）１１５とを備えて構成される。
【００８０】
なお、上述したように、トラックアトム（プロパティ）２１２およびプロパティの実データ２２１、２３１のみが必須である。
【００８１】
図６は、トラックアトム（プロパティ）の一例を示す図である。
図６において、トラックアトム（プロパティ）２１２は、ディスクタイトルおよび各ＡＶファイルに対応するプロパティデータに係るチャンクとして定義された、ＡＶファイルプロパティ＃１、ＡＶファイルプロパティ＃２、……、ＡＶファイルプロパティ＃ｎのそれぞれについて、データ長Ｌ_ＰＲ１、Ｌ_ＰＲ２、……、Ｌ_ＰＲｎ、および開始バイト位置０、Ｌ_ＰＲ１、Ｌ_ＰＲ１＋Ｌ_ＰＲ２、……、Ｌ_ＰＲ１＋…＋Ｌ_ＰＲｎ−１をそれぞれ示すテーブルの形式とされる。
データ長は、例えば、バイト単位で表示される可変長である。
【００８２】
図７は、プロパティの実データの一例を示す図である。
図７において、プロパティの実データ２２１、２３１は、エントリ番号（entry number）、バージョン（version）、フラグ（flag）、データタイプ（data type）、製作日時（creation time）、編集日時（modification time）、デュレーション（duration）およびファイル識別子（file identifier）を備えて構成される。
【００８３】
エントリ番号は、１から始まる番号であり、当該プロパティの実データが何れのエントリに収容されているかを示す。エントリ番号は、０バイト目を開始バイト位置とする３バイトのデータである。カメラ一体型ディジタル記録再生装置５０は、このエントリ番号を検索することによって、インデックスファイルにおいてディスクタイトルが収容されている領域を見い出すことができる。
【００８４】
バージョンは、３バイト目を開始バイト位置とする１バイトのデータである。
フラグは、４バイト目を開始バイト位置とする２バイトのデータである。データタイプは、当該プロパティに係るタイトルファイルまたはＡＶファイルにおけるデータの種類（動画、静止画、オーディオなど）を示し、６バイト目を開始バイト位置とする１バイトのデータである。タイトルファイルは、ディスクタイトルをファイルとして収容する場合におけるファイルである。製作日時は、当該プロパティに係るタイトルファイルまたはＡＶファイルが製作された日時を示し、７バイト目を開始バイト位置とする４バイトのデータである。編集日時は、当該プロパティに係るタイトルファイルまたはＡＶファイルが修正された日時を示し、１１バイト目を開始バイト位置とする４バイトのデータである。デュレーションは、当該プロパティに係るタイトルファイルまたはＡＶファイルが再生されるために必要とされる時間の長さを示し、１５バイト目を開始バイト位置とする４バイトのデータである。ファイル識別子は、当該プロパティに係るタイトルファイルまたはＡＶファイルのファイル名を示し、１９バイト目を開始バイト位置とする可変長のデータである。
【００８５】
ここで、ディスクタイトルがインデックスファイルのテキスト、サムネイルおよびイントロの中の少なくとも１つで表示される場合であってタイトルファイルが生成されない場合には、所定のファイル名、例えば、「ＶＡＣＡＮＣＹ」などを規定値として設定することによって、タイトルファイルが生成されていないこと（タイトルファイルが記録媒体に記録されていないこと）が示される。
【００８６】
図８において、フラグは、１６ビットで構成される。０番目のビットは、エントリされているデータがファイルである場合には０とされ、エントリされているデータがグループ化されたファイル群またはディレクトリである場合には１とされる。１番目のビットは、タイトルファイルまたはＡＶファイルに参照するデータがない場合には０とされ、タイトルファイルまたはＡＶファイルに参照するデータがある場合には１とされる。
【００８７】
２番目のビットは、タイトルファイルまたはＡＶファイルにテキストデータが登録されていない場合には０とされ、タイトルファイルまたはＡＶファイルにテキストデータが登録されている場合には１とされる。３番目のビットは、テキストデータがインデックスファイルにある場合には０とされ、テキストデータがプロパティデータによって指示されたタイトルファイルまたはＡＶファイルにある場合には１とされる。
【００８８】
４番目のビットは、タイトルファイルまたはＡＶファイルにサムネイルデータが登録されていない場合には０とされ、タイトルファイルまたはＡＶファイルにサムネイルデータが登録されている場合には１とされる。５番目のビットは、サムネイルデータがインデックスファイルにある場合には０とされ、サムネイルデータがプロパティデータによって指示されたタイトルファイルまたはＡＶファイルにある場合には１とされる。
【００８９】
６番目のビットは、タイトルファイルまたはＡＶファイルにイントロデータが登録されていない場合には０とされ、タイトルファイルまたはＡＶファイルにイントロデータが登録されている場合には１とされる。７番目のビットは、イントロデータがインデックスファイルにある場合には０とされ、イントロデータがプロパティデータによって指示されたタイトルファイルまたはＡＶファイルにある場合には１とされる。
【００９０】
８番目ないし１５番目のビットは、リザーブ（reserved）とされ、フラグに柔軟性をもたせている。
【００９１】
本実施形態では、ディスクタイトルおよび各ＡＶファイルに対し、例えば、題名などの記録媒体またはファイルを識別するための文字情報を付与することができる。この文字情報は、インデックス・データ・アトム２０２のテキスト２２２、２３２にテキストデータとして収容され、その管理情報がインデックス・アトム２０１内のトラックアトム（テキスト）に収容される。
【００９２】
図９は、トラックアトム（テキスト）の一例を示す図である。
図９において、トラックアトム（テキスト）２１３は、ディスクタイトルおよび各ＡＶファイルに対応する文字列のデータに係るチャンクとして定義された、テキストデータ＃１、テキストデータ＃２、……、テキストデータ＃ｎのそれぞれについて、データ長Ｌ_ＴＸ１、Ｌ_ＴＸ２、……、Ｌ_ＴＸｎ、および開始バイト位置０、Ｌ_ＴＸ１、Ｌ_ＴＸ１＋Ｌ_ＴＸ２、……、Ｌ_ＴＸ１＋…＋Ｌ_ＴＸｎ−１をそれぞれ示すテーブルの形式とされる。データ長は、例えば、バイト単位で表示される可変長である。
【００９３】
また、本実施形態では、ディスクタイトルおよび各ＡＶファイルに対し、例えば、サムネイルなどの記録媒体またはファイルを識別するための画像情報を付与することができる。この画像情報は、インデックス・データ・アトム２０２のサムネイル２２３、２３３に静止画データとして収容され、その管理情報がインデックス・アトム２０１内のトラックアトム（サムネイル）に収容される。
【００９４】
図１０は、トラックアトム（サムネイル）の一例を示す図である。
図１０において、トラックアトム（サムネイル）２１４は、ディスクタイトルおよび各ＡＶファイルに対応するサムネイルのデータに係るチャンクとして定義された、サムネイルデータ＃１、サムネイルデータ＃２、……、サムネイルデータ＃ｎのそれぞれについて、データ長Ｌ_ＴＨ１、Ｌ_ＴＨ２、……、Ｌ_ＴＨｎ、および開始バイト位置０、Ｌ_ＴＨ１、Ｌ_ＴＨ１＋Ｌ_ＴＨ２、……、Ｌ_ＴＨ１＋…＋Ｌ_ＴＨｎ−１をそれぞれ示すテーブルの形式とされる。データ長は、例えば、バイト単位で表示される可変長である。
【００９５】
さらに、本実施形態では、ディスクタイトルおよび各ＡＶファイルに対し、例えば、イントロなどの記録媒体またはファイルを識別するためのオーディオ情報を付与することができる。このオーディオ情報は、インデックス・データ・アトム２０２のイントロ２２４、２３４にオーディオデータとして収容され、その管理情報がインデックス・アトム２０１内のトラックアトム（イントロ）に収容される。
【００９６】
図１１は、トラックアトム（イントロ）の一例を示す図である。
図１１において、トラックアトム（イントロ）１１５は、ディスクタイトルおよび各ＡＶファイルに対応するイントロのデータに係るチャンクとして定義された、イントロデータ＃１、イントロデータ＃２、……、イントロデータ＃ｎのそれぞれについて、データ長Ｌ_ＩＮ１、Ｌ_ＩＮ２、……、Ｌ_ＩＮｎ、および開始バイト位置０、Ｌ_ＩＮ１、Ｌ_ＩＮ１＋Ｌ_ＩＮ２、……、Ｌ_ＩＮ１＋…＋Ｌ_ＩＮｎ−１をそれぞれ示すテーブルの形式とされる。データ長は、例えば、バイト単位で表示される可変長である。
【００９７】
ディスクタイトルのデータは、このようなインデックスファイルによって、直接、インデックスファイルに収容することもでき、あるいは、プロパティデータによって指示されたタイトルファイルに収容することもできる。
【００９８】
図１２は、ディスクタイトルのデータとインデックスファイルとの関係を示す図である。図１２Ａは、ディスクタイトルのデータがインデックスファイルに収容される場合であり、図１２Ｂは、プロパティデータの指示するタイトルファイル２５１にディスクタイトルのデータが収容される場合を示す。
【００９９】
図１２Ａの場合では、プロパティのエントリ番号は、エントリ＃１とされる。
プロパティにおけるフラグの１番目のビットから７番目のビットまでは、０００００００とされる。ファイル識別子は、「ＶＡＣＡＮＣＹ」とされる。そして、テキスト２２２-a、サムネイル２２３-aおよびイントロ２２４-aの中の少なくとも１つにディスクタイトルに係るデータが登録される。
【０１００】
一方、図１２Ｂの場合では、プロパティのエントリ番号は、エントリ＃１とされる。プロパティにおけるフラグの１番目のビットから７番目のビットまでは、１００００００とされる。ファイル識別子は、タイトルファイル２５１のファイルネーム、例えば、「ＳＥＲＩ」とされる。そして、テキスト２２２-b、サムネイル２２３-bおよびイントロ２２４-bには、ディスクタイトルに係るデータが任意に登録される。
【０１０１】
そして、タイトルファイル２５１は、ディスクタイトルに係るデータ、例えば、動画、静止画およびオーディオなどのデータが収容される。
【０１０２】
このようなインデックスファイルを記録した記録媒体が挿入された場合に、カメラ一体型ディジタル記録再生装置５０のシステム制御マイコン１９は、まず、インデックスファイルのエントリ番号＃１に収容されているデータを読み込む。
【０１０３】
次に、システム制御マイコン１９は、プロパティのファイル識別子を参照する。そして、ファイル識別子が「ＶＡＣＡＮＣＹ」でない場合には、ファイル識別子が示すタイトルファイルを読み込み、再生する。
【０１０４】
一方、システム制御マイコン１９は、ファイル識別子が「ＶＡＣＡＮＣＹ」である場合には参照すべきタイトルファイルがないので、フラグを参照してその内容に従ってテキスト、サムネイルまたはイントロを再生する。
【０１０５】
なお、タイトルファイルが存在し更にテキスト、サムネイルまたはイントロが存在する場合には、タイトルファイルのデータの再生を優先するように設計してもよい。あるいは、主表示部６４を分割することによって、タイトルファイルのデータとインデックスファイルのデータを同時に再生するように設計してもよい。
【０１０６】
このように本実施形態のカメラ一体型ディジタル記録再生装置５０は、インデックスファイルのディスクタイトルを迅速に表示することができる。このため、この表示によって、ユーザは、記録媒体の記録内容を容易に判別することができ、複数の記録媒体を簡易・容易に管理することができる。しかも、ディスクタイトル、各ＡＶファイルのインデックスおよびＡＶファイルは、同一の形式で記録されているので、ディスクタイトルを表示するために特別な再生機構を必要としない。
【０１０７】
なお、本実施形態は、記録媒体から迅速にデータを読み込むことができる観点から、ディスクタイトルのデータをインデックスファイルの第１番目の領域であるエントリ＃１に収容したが、これに限定されるものではない。
【０１０８】
ディスクタイトルのデータは、インデックスファイルの任意の領域に固定的に割り当てることもできる。この場合において、ディスクタイトルを収容するエントリを予め設定する。そして、記録媒体からディスクタイトルのデータを読み込む際には、割り当てられたエントリの番号を規定値としてディジタル記録再生装置などに与え、ディジタル記録再生装置は、この番号をプロパティのエントリ番号から検索することによって、ディスクタイトルのデータを読み込めばよい。例えば、エントリ番号＃３に割り当てられている場合には、プロパティのエントリ番号が３であるデータを読み込めばよい。
【０１０９】
さらに、ディスクタイトルのデータは、インデックスファイルの任意の領域に任意に割り当てることもできる。この場合において、記録媒体にはディスクタイトルであることを示す所定の識別子をプロパティのエントリ番号に記録し、ディジタル記録再生装置にはこの識別子を規定値として記録再生装置などに与える。
記録媒体からディスクタイトルのデータを読み込む際には、ディジタル記録再生装置は、この識別子をプロパティのエントリ番号から検索することによって、ディスクタイトルのデータを検索すればよい。例えば、識別子として「ＤＴＥ」と設定し、記録再生装置は、プロパティのエントリ番号が「ＤＴＥ」であるデータを読み込めばよい。
【０１１０】
図１３は、このような場合における、トラック（プロパティ）とプロパティデータとの一関係例を示す図である。
【０１１１】
インデックスファイルのエントリ＃１からエントリ＃５には、順に、ムービー、ムービー、スチル画像、ディスクタイトル、オーディオに係るデータが登録されている場合に、図１３に示すように、トラック（プロパティ）のチャンク・オフセットは、順に、Ｐ_ＣＯ１、Ｐ_ＣＯ２、Ｐ_ＣＯ３、Ｐ_ＣＯ４およびＰ_ＣＯ５であり、トラック（プロパティ）のデータ長は、順に、Ｐ_Ｌ１、Ｐ_Ｌ２、Ｐ_Ｌ３、Ｐ_Ｌ４およびＰ_Ｌ５である。そして、プロパティのエントリ番号は、順に、１、２、３、ＤＴＥおよび４であり、プロパティのデータタイプは、ムービー、ムービー、スチル画像、ディスクタイトルおよびオーディオである。
【０１１２】
【発明の効果】
本発明に係る記録装置、記録方法、プログラム、該プログラムを記録した記録媒体、および、該記録装置を備える電子カメラは、複数の記録媒体の中から所定の記録媒体を区別するための識別情報を、記録媒体に記録された複数のファイルに関する抜粋情報を収容するインデックスファイルに、インデックスファイルの形式で収容する。このため、ユーザは、記録装置に識別情報を読み出ださせることで記録媒体を識別することができ、迅速に所望の記録媒体を探し出すことができる。そして、記録装置は、インデックスファイルを読み出す方法で識別情報を読み出すことができるので、識別情報を読み出すための特別な機構・方法が不要である。
【図面の簡単な説明】
【図１】ディジタル記録再生装置の一構成例を示すブロック図である。
【図２】カメラ一体型ディジタル記録再生装置の外形を示す模式図である。
【図３】  QuickTimeムービーファイルの一構成例を示す図である。
【図４】ビデオ・メディア情報アトムの一構成例を示す図である。
【図５】  QuickTimeムービーファイルを用いて作成されるインデックスファイルの一例を示す図である。
【図６】トラックアトム（プロパティ）の一例を示す図である。
【図７】プロパティの実データの一例を示す図である。
【図８】フラグの一例を示す図である。
【図９】トラックアトム（テキスト）の一例を示す図である。
【図１０】トラックアトム（サムネイル）の一例を示す図である。
【図１１】トラックアトム（イントロ）の一例を示す図である。
【図１２】ディスクタイトルのデータとインデックスファイルとの関係を示す図である。
【図１３】トラック（プロパティ）とプロパティデータとの一関係例を示す図である。
【符号の説明】
１１・・・ビデオ符号器、１２・・・オーディオ符号器、１３・・・ビデオ復号器、１４・・・オーディオ復号器、１５・・・ファイル生成器、１６・・・ファイル復号器、１７、２０・・・メモリ、１８・・・メモリコントローラ、１９・・・システム制御マイコン、２１・・・エラー訂正符号／復号器、２３・・・データ変復調器、２４・・・磁界変調ドライバ、２６・・・操作部、３０・・・サーボ回路、３１・・・モータ、３２・・・磁界ヘッド、３３・・・光ピックアップ、４０・・・記録媒体  、５０・・・カメラ一体型ディジタル記録再生装置、５１・・・本体、５２・・・レンズ部、５３・・・集音マイク、５４・・・表示パネル、５５・・・ポインティングデバイス、２０１・・・インデックス・アトム、２０２・・・インデックス・データ・アトム、２２１、２３１・・・プロパティ、２２２、２３２・・・テキスト、２２３、２３３・・・サムネイル、２２４、２３４・・・イントロ、２５１・・・タイトルファイル
【図１】
0004576725.tif 000002
【図２】
0004576725.tif 000003
【図３】
0004576725.tif 000004
【図４】
0004576725.tif 000005
【図５】
0004576725.tif 000006
【図６】
0004576725.tif 000007
【図７】
0004576725.tif 000008
【図８】
0004576725.tif 000009
【図９】
0004576725.tif 000010
【図１０】
0004576725.tif 000011
【図１１】
0004576725.tif 000012
【図１２】
0004576725.tif 000013
【図１３】
0004576725.tif 000014